(57)【要約】本発明は、光データの書き込み／読取装置（１）のためのスライダーに関し、かかるスライダーは焦点ポイント（４２）を定義する光レンズ（４０）を保持し、例えば、内径から外径までのスライダーの移動によって引き起こされるディスク速度の変化に依存し、ピッチ角度が焦点ポイントにより垂直平面に位置するピボット軸に関するピボットの動きにより変化し、かかるピボット軸が好ましくは焦点ポイントと一致するような形態を有する。この形態から認識されるように、焦点ポイント（４２）の浮遊高（ＨＦ）は実質的に一定である。
2005505882.tif 000002
【特許請求の範囲】
【請求項１】
光データの書き込み／読取装置のためのスライダーであって、該スライダーは焦点ポイントを定義する光レンズを保持し、
前記スライダーは前記装置のアームから吊り下げるために適合した弾力性のサスペンション手段を備えてなり、前記スライダーは前記焦点ポイントによる垂直平面に実質的に位置する実質的な水平のピボット軸を有することを特徴とするスライダー。
【請求項２】
前記ピボット軸は前記焦点ポイントと実質的に一致することを特徴とする請求項１に記載のスライダー。
【請求項３】
スライダー本体と、
前記スライダー本体の側端部と並んで配置された正面端部および後部端部を有する２つの脚を有し、前記脚の正面端部に結合し、前記スライダー本体の正面端部と並んで配置されたブリッジをさらに有する、窪んだ底面から盛り上がって直立する実質的にＵ字型の盛り上がり部分と、
前記脚から等しい距離で前記脚の後部端部に結合する線上に位置する中心を有する前記底面から盛り上がって直立する島部分と、を有し、
前記焦点ポイントが前記島部分の前記中心と実質的に一致することを特徴とする請求項１または２に記載のスライダー。
【請求項４】
前記島部分は、前記島の部分の底面が前記ブリッジの底面および前記足の底面と同一平面に実質的に位置するように前記ブリッジおよび脚の高さと実質的に等しい高さを有することを特徴とする請求項３に記載のスライダー。
【請求項５】
前記島部分の前記中心は、前記島部分の前記底面と実質的に一致することを特徴とする請求項４に記載のスライダー。
【請求項６】
前記ブリッジは、該ブリッジの正面で階段状の窪みを有することを特徴とする請求項３乃至５のいずれか一項に記載のスライダー。
【請求項７】
前記階段状の窪みは、前記ブリッジの全体の長さにわたって実質的に延在することを特徴とする請求項６に記載のスライダー。
【請求項８】
前記ブリッジおよび脚は、夫々実質的に長方形断面を有することを特徴とする請求項３乃至７のいずれか一項に記載のスライダー。
【請求項９】
前記島部分は、実質的に正方形の形態／形状を有することを特徴とする請求項３乃至７のいずれか一項に記載のスライダー。
【請求項１０】
ディスク表面を走査するための走査手段を有する光データの書き込み／読取装置であって、前記走査手段は請求項１乃至９のいずれか一項に記載のスライダーを有することを特徴とする光データの書き込み／読取装置。
【請求項１１】
前記走査手段はさらに、
回転中心を定義し、ディスクを回転するためのディスク回転手段と、
前記スライダーが吊り下げられるアームを有し、前記ディスクに関して前記スライダーを位置づけるための位置づけ手段と、
前記焦点ポイントと回転中心を結合する放射状に線に対して平行な方向で走査ヘッドを備えるアームを移動するためのアームの移動手段と、を有することを特徴とする請求項１０に記載の光データの書き込み／読取装置。
【発明の詳細な説明】
【技術分野】
【０００１】
本発明は、一般的に、回転式の記憶ディスクに対するデータの書き込みおよび該回転式記憶ディスクからのデータを読取る分野に関する。前述の記憶ディスクは、磁気ディスク、光ディスク、光磁気ディスクなどであってよい。特に、本発明は、書き込みおよび読取作用のためのレーザービームを有する光手段に基づく書き込み／読取装置で有用であり、したがって、本発明は、これより以後、そのような光システムに関して特異的に説明する。しかしながら、本発明の範囲は、そのような光システムに限定されず、磁気システムに対して等しく適用可能である。
【背景技術】
【０００２】
一般的に知られているように、光の記憶／検索システムは、回転式ディスクと、ディスクの表面をスキャンするための光ヘッドを有する。光ヘッドにより、レーザービームはディスク表面に集光され、ディスクは、集光したレーザービームがディスク表面上の円形トラックにしたがうように光ディスクに関して回転する。集光したレーザービームが異なるトラックをアドレスすることが可能であるか、またはスパイラル状のトラックにしたがうことができるように、光ヘッドはディスクに関して放射状の方向で移動する。データは、ディスクの物理的特性が修正されるような適切な手法で、ビーム強度を変化することによってディスクに記憶される。データは、反射されたビームの強度を感知することによってディスクから読取られる。そのような光手段を使用する記憶／検索システムが一般的に周知であるので、ここではそれ以上の説明はしない。
【０００３】
光ヘッドは、サスペンションの手段によってディスクに対して相対的に位置づけられる、アームに取付けられた光レンズを有する。この位置づけにおいて、所望のトラック上に光レンズを正確に位置づけするために、光レンズの放射状の位置が、かなり相当な正確さで制御できることは当然のこととして重要である。しかしながら、ディスク表面に関する光レンズの高さが非常にわずかな値でとても正確に維持されることはかなり重要である。本発明は、垂直の位置づけが、光ヘッドとディスク表面との間のエアークッションの存在に基づく特定のタイプの光ヘッドに関する。そのような光ヘッドはまた、スライダーと呼ばれる。スライダーはまた、空気受け表面と呼ばれる、ディスク表面に向かう方向のスライダー表面を有する。空気受けのスライダー表面とディスク表面との間の距離は非常に狭く、典型的には１μｍのオーダーである。ホルダーは、ディスク表面に向かうスライダーを促して、スライダー上のバイアス力を働かせる。しかしながら、ディスクが回転するにつれて、空気は空気受けのスライダー表面とディスク表面との間の狭いギャップに吸い込まれて、上昇した圧力でエアークッションを発達させ、ディスク表面から離れて導かれたスライダーに対して、リフトと呼ばれる力を働かせる。
【０００４】
定常的な状況で、エアークッションによって発生したリフトは、ホルダーによって働かされたバイアス力を均衡にして、その結果、空気受けのスライダー表面とディスク表面との間の距離は一定である。この距離は、浮遊高と呼ばれる。
【０００５】
前述に関する一般的に知られている問題は、浮遊高が空気受けのスライダー表面に関するディスク表面の速度に依存する傾向にあることである。その理由は、ギャップに吸収された空気量が、前述空気受けのスライダー表面に関するディスク表面の速度に依存するためである。浮遊高が上述したように可能な限り一定であるべきことが望ましいので、対抗策が必要とされる。
【０００６】
あるアプローチは、スライダーに関するディスクの線形速度を一定に維持するように、記憶および検索装置を駆動することである。しかしながら、これはディスクの角速度または回転速度がスライダーの放射状の位置に適用されることを必要とすることを意味する。さらに、一定の角速度でディスクドライブを操作することが好ましい。なぜならば、そのようなモードにおいて、アクセス時間が一定の線形速度の（操作上の）モードよりもわずかであり得るためである。
【０００７】
ディスクドライブが一定の角速度モードで操作される場合、ディスクの外径でのリフトは、内径での引き揚げよりも常に大きい。これは、内径での浮遊高と比較して、外径での高まった浮遊高に帰着する。
【０００８】
スライダーの放射状の位置に依存する回転ディスクに関してスライダーの斜めの角度を調整することによって、前述の問題に対抗することがすでに提案されている。欧州特許第１，００１，４２３号明細書は、放射状の経路に対応しない移動経路に沿ってスライダーを移動することによって斜めの角度を調整することを提案する。しかしながら、ゆがみは、トラッキング方法にとって不利であり、スポットの質の低下を有する、溝に関する極性回転と呼ばれる、別の問題を引き起こす。
【０００９】
さらに、一定の浮遊高を維持するために下方のバイアス力を積極的に調整することによって前述の問題に対抗することを提案されている。このアプローチの例は、米国特許第６，１２５，００８号明細書に開示されている。しかしながら、このアプローチは、むしろ複雑な調整機能を有する。
【００１０】
例えば、米国特許第５，９８６，８５０号明細書の別のアプローチは、さらに下方へ導かれた構成部分を備える力（つまり、吸引）は、空気受けのスライダー表面とディスク表面との間の空間で生じるように、空気受けのスライダー表面の形態を設計することである。この力は、速まった空気速度で増強する。上方へ導かれたクッション力が普及しているところで、この下方に導かれた力は、速くなる空気速度で高まるピッチ角度を備えた位置をスライダーが仮定するように、先端から離れた位置のスライダーに作用する。光レンズがスライダーのトレイル部分に配置されるので、光レンズの浮遊高は高まるピッチ角度によって減少される。
【００１１】
しかしながら、前述の米国特許第５，９８６，８５０号明細書によって開示された形態は、非常に複雑であり、製造が困難である。さらに、かかる開示の図５によって例証されるように、かかる明細書によって開示された形態は、ディスクの外径での浮遊高が減少するだけで、ディスク全体にわたって浮遊高を実質的に維持できない。
【発明の開示】
【発明が解決しようとする課題】
【００１２】
したがって、本発明の一般的な目的は、上述した問題を克服することである。
【００１３】
詳細には、本発明の目的は、スライダーの形態が比較的簡素である一方で、異なるディスクの直径でスライダーの浮遊高を維持するために、自動調整機能を備えるスライダーを提供することである。
【課題を解決するための手段】
【００１４】
上述した目的は、請求項１乃至のいずれか一項に定義される本発明によるスライダーによって達成される。
【００１５】
本発明の重要な実施態様によると、スライダーは、光レンズの焦点と本質的に一致するピッチのピボット軸を有する。
【００１６】
本発明はさらに、請求項１０または１１で定義されるような光データの書き込みおよび／または読取装置に関する。
【００１７】
本発明は、添付図を参照して好ましい実施態様の下記の詳細な記載で説明されるだろう。なお、添付図において、同一の参照番号は、同一であるか、または類似する構成部分を示す。
【発明を実施するための最良の形態】
【００１８】
図１は、参照番号１で一般的に示されるように、平面図におけるディスクドライブを部分的に概略して示す。ディスクドライブ装置１は、簡素化のために示されていないがハウジングと、光ディスクの実施例の手段による回転式ディスク２を受けるための手段とを有するだろう。ディスクドライブ装置１はまた、ディスク２にデータを書き込むか、またはディスク２からデータを読取るために、ディスク２の表面を走査するための走査手段１０と、を有する。そのような走査手段１０は、走査ヘッド１１と、ディスクに関して走査ヘッド１１を位置づけるための位置づけ手段２０と、円形のトラックに沿ったディスク表面に関して走査ヘッド１１を移動するための移動手段３０と、を有する。移動手段３０は、矢印Ｒによって示されるように、ディスク２を回転するためのディスクの回転手段３１を有する。ディスクドライブ装置でディスクを受けて回転するための手段は一般的に周知であるので、これに関しては詳細には説明しない。
【００１９】
位置づけ手段２０は、下記により詳細に説明するように、ディスク２の表面３上で走査ヘッド１１を保持するアーム２１を有する。ディスクは、回転手段３１によって定義される回転の中心ＣＲを有する。走査ヘッド１１は、ディスク２の表面３上の走査位置ＰＳを定義する。走査位置ＰＳで回転の中心ＣＲを接続する放射状のラインは、Ｌで参照される。アーム２１は、前述の放射状のラインＬに対して好ましくは、垂直に導かれる中心軸を有する。移動手段３０は、矢印Ｄによって示されるように、前述の放射状のラインＬに対して平行方向の走査ヘッド１１を備えるアーム２１を移動するためのアームの移動手段３２を有する。走査ヘッド１１を移動するための手段は一般的に周知であるので、アームの移動手段３２はここではさらに詳細には記載しない。
【００２０】
図２Ａおよび２Ｂは、側面図において、走査ヘッド１１を保持するアーム２１の自由な端部を概略して示す。走査ヘッド１１は、最上面１３および底面１４を備える走査ヘッド本体１２を有し、走査ヘッド本体１２に対して下方への力を直接的で弾力的に作用できる弾性のサスペンション手段２２によって、アーム２１の自由な端部から吊り下げられる。サスペンション手段２２は、サスペンションの位置ＬＳとして示されるように、その中心位置で走査ヘッドの本体１２と嵌合する。走査ヘッドの本体１２は、サスペンション手段２２に関して均衡される。それは、安定した平衡状態において、走査ヘッド１１が、ディスク２の表面３に近いその走査ヘッドの底面１４で位置する場合、図２Ａで示すように、走査ヘッド１１の底面１４はディスク表面３と本質的に平行である。
【００２１】
操作中、図２Ｂの矢印に例示されるように、ディスクは走査ヘッド１１の下で図において左から右方向に回転する。この回転により、図２Ｂの矢印Ａによって示されるように、空気は走査ヘッド１１の底面１４とディスク２の最上面３との間の小さいギャップ１５に吸い込まれる。空気の流れＡがこのギャップ１５に入る際の走査ヘッド１１のエッジは、先端１６を示し、一方で空気の流れが前述のギャップ１５を出て行く際のスライダー１１の反対の端部は、トレイルエッジ１７を示すだろう。
【００２２】
この空気の流れは、むしろ複雑な圧力の分配を備える走査ヘッド１１の底面下のこの類のエアークッションを引き起こす。走査ヘッド１１の底面の幾つかの部分は、高まった空気圧を感じ、一方で、他の部分は下がった圧力を感じる。全体として、走査ヘッド１１の底面１４は、ディスク２から離れて導かれた力を感じる。図２Ｂの矢印ＦＵによって示されるように、この上方へ導かれたエアークッション力は、主に先端部１６とサスペンション手段２２との間で獲得する。このエアークッション力ＦＵは、移動ディスク２から離れた走査ヘッド１１を押す傾向にある。走査ヘッド１１はまた、ここより以下ではスライダーとして示され、したがって、ギャップ１５のエアークッションに浮遊する。
【００２３】
スライダー１１は、弾力性のサスペンション手段２２によって作用される下方へ導かれる力ＦＤによって適所に維持される。スライダー１１の異なる位置に作用される２つの力ＦＵおよびＦＤは、誇張された手法の図２Ｂで明らかに例示されるように、先端エッジ１６が持ち上げられ、トレイルエッジ１７が下げられるように、スライダー１１を傾ける傾向にある。スライダー１１の中心線は、ピッチ角度としてディスク２の表面３を備える角度αを包含する。
【００２４】
スライダー１１は、ディスクドライブ装置１の光システムの部品を形成するレンズ４０を保持する。レンズ４０は、ディスク２の表面に対して実質的に垂直で導かれたレーザービーム４１を受け、焦点スポット４２にレーザービーム４１を集光する。この焦点スポット４２は、図１に示されるような走査位置ＰＳを決定する。状況に依存して、焦点スポット４２は、スライダー１１の底面下の幾らかの距離であってよく、またはニアフィールド（near-field）技術などでむしろスライダー１１の底面１４に隣接してよい。正確で高密度の操作において、焦点スポット４２とディスク表面３との間の距離は一定であることが望ましい。
【００２５】
しかしながら、ディスク２の回転速度または角速度が一定である場合、スライダー１１に関するディスク２の線形速度は、走査スポットＰＳと回転中心ＣＲとの間の距離を変化することで変化する。より詳細には、スライダー１１がディスク２の外端部と近接する場合、ディスク２の線形速度はより速く、したがって、ギャップ１５に吸い取られる空気量Ａは、回転中心ＣＲに近接しているスライダー１１と比較して多い。空気の流れＡの増大において、引き上げ力ＦＵは高まり、焦点スポット４２とディスク表面３との間の距離を望ましくはないが増大させる。
【００２６】
本発明によると、前述の望ましくない効果は、空気受け表面としてスライダー１１の下部表面１４の形状を適切にデザインすることによって、減少できるか、またはさらに削除できる。図３は、誇張されたスケールにおける本発明によってデザインされたスライダー１１の側面図を示す。図３は、スライダー１１がスライダー１１のトレイル端部１７からある距離で焦点スポット４２に近接して終了する下部表面１４を有することを明らかに示す。後部表面１９は、後部表面１９と下部表面との間接点１８が常にスライダー１１の常に最低ポイントであるように、ピッチ角度αよりも多大な角度で下部表面１４と接する。好ましい実施態様において、前述の角度は、図３には示されないが、トレイルバルコニーへ導く実質的に９０度に等しい。図３において、前述の角度はほぼ４５度であり、後部表面１９はトレイル端部に向かって先細になる。
【００２７】
焦点スポット４２とディスク表面３と間のクリアランスは、浮遊高ＨＦを示すであろう。
【００２８】
傾斜したスライダー１１下で圧縮された空気の流れＡは、最低のスライダーポイント１８を越えて（図３において、最低点のスライダーポイント１８の右側に）気圧を下げる、最低のスライダーポイント１８を通過した後に拡大する。結果として、スライダー１１のトレイル部分は、大気Ａから減少された引き上げ、または矢印ＦＳによって示され、ピッチ角度αを増大する傾向にある、下方へ導かれた吸引力さえも受け取る。したがって、増大した空気の流れで、ピッチ角度αは、スライダーの先端部分に作用する引き上げ力ＦＵとスライダーのトレイル部分に作用する吸引力ＦＳとの組み合わせ効果により、増大するであろう。
【００２９】
本発明の重要な態様によると、スライダー１１の底部形状は、スライダーの傾斜（つまり、ピッチ角度αの増大）が、焦点スポット４２により垂直平面に位置する、平行なピボット軸ＰＡに関してピボット式移動として発生するようにデザインされる。したがって、ピッチ角度αでのわずかな変化は、第一の近似において、焦点スポット４２の位置の垂直変化を含まないであろう。
【００３０】
好ましくは、焦点スポットはピボット軸と一致する。
【００３１】
スライダー形状の実施例は、大きさはスケールが示されず、Ｚ方向の大きさが簡素化のために特に誇張された、図４および図５Ａ乃至５Ｂを参照して下記により詳細に記載されるだろう。この実施例は、実験にて試験されており、この実験の結果は図６に示される。
【００３２】
図４は、逆さまにして配置したスライダー１１の底部の三次元の図である。縦方向はＸ方向で示され、横方向はＹ方向で示される（ＸおよびＹは、通常のディスク表面に対して水平である。）。スライダー１１は、実質的に長方形のスライダー本体５０および実質的にＵ字型形状の盛り上がった部分６０を有する。前述の盛り上がった部分６０は、スライダー本体５０の側端部５１、５２と並んで配置された２つの脚６１、６１からなり、各脚６１、６２は、正面の端部６１Ｆ、６２Ｆおよび後部の端部６１Ｒおよび６２Ｒを有する。盛り上がった部分６０はさらに、脚６１、６２の正面端部６１Ｆ、６２Ｆを結合するブリッジ６３を有し、ブリッジ６３は、スライダー本体５０の正面端部５３と並んで配置される。ブリッジ６３および脚６１、６２は、この実施例において、各々実質的に長方形の断面を有する。
【００３３】
この実施例において、スライダー１１は２．５ｍｍの幅（Ｙ方向）と、この幅全体にわたるブリッジ６３とを有する。ブリッジ６３は、０．８ｍｍ（Ｘ方向）の幅を有する。
【００３４】
さらに、この実施例において、スライダー１１は３．５ｍｍの長さ（Ｘ方向）を有するが、脚６１、６２は短い。各脚は０．４８ｍｍの幅（Ｙ方向）を有し、１．９５ｍｍ（Ｘ方向）の長さを有する。したがって、各脚６１、６２の後部端部６１Ｒ、６２Ｒは、スライダーのトレイル端部５４から０．７５ｍｍの距離で位置される。
【００３５】
脚６１、６２およびブリッジ６３の高さ（Ｚ方向）は、およそ７．１μｍである。
【００３６】
さらに、この実施例において、スライダー１１は２５０μｍの高さ（Ｚ方向）を有する。
【００３７】
好ましくは、図４に示されるように、ブリッジは、ブリッジ６３の全体の長さにわたる、ブリッジの正面の階段状の窪み６４を有する。この階段状の窪み６４は、１．０μｍの深さ（Ｚ方向）および０．１５ｍｍの幅（Ｘ方向）を有する。
【００３８】
図５Ａは、脚６１で得られたスライダーの縦方向の断面図であり、図５Ｂはスライダーの中心線で得られた同様の断面図である。
【００３９】
スライダーの残りの底面、つまり、ブリッジ６３および脚６１、６２以外の底部は、窪んだ底面５５と呼ばれるだろう。典型的なスライダーは、固体のブロックから開始して、窪んだ底面５５を残して、所望の深さにブロックの部分をエッチング（湿式エッチング技術を使用して）することにより製造されている。物質の選択は本質的でないが、この実施例において、物質はガラスであった。実際に、他の透明物質が使用されるだろう。代替として、不透明な物質を使用するのであれば、光の構成部分のための透明窓を含むべきである。
【００４０】
さらにスライダーは、正方形状（ＸおよびＹ方向）を有する中心に位置する島部分７０を有する。島部分７０は窪んだ底面５５から盛り上がって直立しており、島部分の底面がブリッジ６３の底面および足６１、６２の底面と同様なＸＹ平面に位置するように、ブリッジ６３および脚６１、６２の高さと等しい高さを有する。島部分７０は、０．５ｍｍの長さ（Ｘ方向）および０．５ｍｍの幅（Ｙ方向）を有する。島部分７０の中心Ｃは、脚から等しい距離で脚６１、６２の後部端部６１Ｒ、６２Ｒと結合する線上に位置する。
【００４１】
レンズ（図４に示されていない）は、島部分７０の中心Ｃと一致するレンズの光軸を有し、島部分の表面と一致する焦点ポイント４２（図２Ａ参照）を有して、スライダー上に設置された。したがって、前述の焦点ポイントは中心Ｃと一致する。さらに、上述した図は島部分７０の中心Ｃの背後に０．２２ｍｍで位置する参照ポイントＰＲを示す。
【００４２】
スライダー１１は、先端部５３とトレイル端部５４との間の中間に位置するサスペンションポイントから吊り下げられた（Ｕ字型部分を下にして）。使用されたサスペンション手段は、米国、ＭＮ、ハッチンソンのハッチンソンテクノロジーカンパニーから標準的な構成部分として入手可能な“nanosuspension  850  LSF”である。このサスペンションは、下記の特徴：
−ピッチ強度＝２μＮｍ／degree
−回転強度＝２．５μＮｍ／degree
−側面の強度＝１２．５Ｎ／ｍｍ
を有し、０．０３乃至０．０５Ｎの範囲で特異的である。サスペンションは、０．０３Ｎの下方へ力を作用するように設定された。
【００４３】
吊り下げられたスライダーはディスク上に配置され、ディスクは変化する速度で回転した。スライダーの浮遊高は異なる位置で測定された。図６は、測定結果を示す。
【００４４】
図６において、水平軸は、スライダー１１に関するディスク表面３の線形速度を示す。垂直軸は、焦点ポイントＣ（線ＬＦで示される）で測定され、参照ポイントＰＲ（線ＬＲで示される）で測定された浮遊高ＨＦを示す。焦点ポイントで測定した浮遊高は、ディスクの内径および外径の通常の速度と一致する、毎秒３ｍ乃至毎秒６ｍのディスク速度の全範囲にわたって実質的に一定（変化は２．５％未満）であることが明白である。さらに、参照ポイントＰＲで測定された浮遊高は速度の増加に伴って減速し、したがって、ピボット軸ＰＡが焦点ポイントＣに位置することが分かる。
【００４５】
本発明は好ましい実施態様に関して詳細に記載したが、本発明がこの実施態様に制限されないことは明白である。むしろ、請求項に定義された発明の範囲内において、修正および変更が可能である。
【図面の簡単な説明】
【００４６】
【図１】ディスクドライブの概略図である。
【図２Ａ】スライダーを保持するアームを概略する側面図である。
【図２Ｂ】スライダーを保持するアームを概略する側面図である。
【図３】拡大したスライダーを概略する側面図である。
【図４】本発明と一致するスライダーの実施態様の斜視図である。
【図５Ａ】図４のスライダーの部分的な縦の断面図である。
【図５Ｂ】図４のスライダーの部分的な縦の断面図である。
【図６】図４のスライダーでなされた測定結果を示す図である。
【国際公開パンフレット】
2005505882.tif 000003
2005505882.tif 000004
2005505882.tif 000005
2005505882.tif 000006
2005505882.tif 000007
2005505882.tif 000008
2005505882.tif 000009
2005505882.tif 000010
2005505882.tif 000011
2005505882.tif 000012
2005505882.tif 000013
2005505882.tif 000014
2005505882.tif 000015
2005505882.tif 000016
2005505882.tif 000017
【国際公開パンフレット（コレクトバージョン）】
2005505882.tif 000018
【国際調査報告】
2005505882.tif 000019
2005505882.tif 000020
2005505882.tif 000021